(57)【要約】【課題】干渉を除去できる自励発振システムを提供する。【解決手段】干渉を除去できる自励発振システムであって、複数のチャネル入力信号に基づいて複数のチャネル発振信号を発生する複数のチャネル発振回路、および複数のチャネル発振回路の２つにそれぞれ接続され、クロストークを除去する複数の除去器を含む。【選択図】図１
0003126204.tif 000002
【実用新案登録請求の範囲】
【請求項１】
干渉を除去できる自励発振システムであって、
複数のチャネル入力信号に基づいて複数のチャネル発振信号を発生する複数のチャネル発振回路、および
複数のチャネル発振回路の２つにそれぞれ接続され、クロストークを除去する複数の除去器を含む自励発振システム。
【請求項２】
特定チャネルに対応するチャネル発振回路は、
チャネル入力信号に基づいて第１発振信号を発生する自励発振器、
前記自励発振器に接続され、前記第１発振信号に基づいて第２発振信号を発生するスミストリガー、および
前記スミストリガーに接続され、前記第２発振信号を駆動して前記特定チャネルに対応するチャネル発振信号を発生するドライバを含む請求項１に記載の自励発振システム。
【請求項３】
前記除去器は、コンデンサである請求項１に記載の自励発振システム。
【請求項４】
前記複数のチャネル発振回路は、
第１チャネル入力信号に基づいて第１チャネル発振信号を発生する第１チャネル自励回路、
第２チャネル入力信号に基づいて第２チャネル発振信号を発生する第２チャネル自励回路、および
前記第１と前記第２チャネル発振回路に接続され、前記第１と前記第２チャネル発振信号間のクロストークを除去する除去器を含む請求項１に記載の自励発振システム。
【考案の詳細な説明】
【技術分野】
【０００１】
本考案は、自励発振システムに関し、特に、干渉を除去できる自励発振システムに関するものである。
【背景技術】
【０００２】
自励発振システムは、異なるチャネルの同じ周波数の発振信号を発生する一般の電子製品である。しかし、実際には、異なるチャネルの周波数は、不正確な素子値により、同じではない。周波数差は、チャネル間のクロストークを招き、干渉信号を発生する。または、その雑音がユーザーを困らせる可能性がある。
【考案の開示】
【考案が解決しようとする課題】
【０００３】
干渉を除去できる自励発振システムを提供する。
【課題を解決するための手段】
【０００４】
自励発振システムは、複数のチャネル発振回路と複数の除去器を含む。複数のチャネル発振回路は、複数のチャネル入力信号に基づいて複数のチャネル発振信号を発生する。複数の除去器は、複数のチャネル発振回路の２つにそれぞれ接続され、クロストークを除去する。
【考案の効果】
【０００５】
本考案の自励発振システムによれば、チャネル発振信号ＯＵＴＬとＯＵＴＲ間のクロストークを除去することができることから干渉信号の発生を防ぐことができる。
【考案を実施するための最良の形態】
【０００６】
本考案についての目的、特徴、長所が一層明確に理解されるよう、以下に実施形態を例示し、図面を参照しながら、詳細に説明する。
【実施例】
【０００７】
図１を参照する。図１は、干渉を除去できる自励発振システム１００の実施例のブロック図である。自励発振システム１００は、複数のチャネル（ｃｈａｎｎｅｌ）発振回路１１０と１２０と、除去器１３０を含む。チャネル発振回路１１０と１２０は、右チャネル入力信号ＩＮＲと左チャネル入力信号ＩＮＬに基づいて、それぞれ右チャネル発振信号ＯＵＴＲと左チャネル発振信号ＯＵＴＬを発生する。除去器１３０は、チャネル発振信号ＯＵＴＬとＯＵＴＲ間のクロストークを除去する。注意するのは、この実施例では、チャネル発振回路の数は２つであるが、例として挙げたもので、これを限定するものではない。言い換えれば、複数のチャネルが適用されることもできる。以下、チャネル発振回路１１０を例にチャネル発振回路の詳細な説明を提供する。
【０００８】
チャネル発振回路１１０は、自励発振器１１２、スミストリガー（Ｓｍｉｔｈ
ｔｒｉｇｇｅｒ）１１４と、ドライバ１１６を含む。自励発振器１１２は、右チャネル入力信号ＩＮＲに基づいて発振信号ＳＲ１を発生する。スミストリガー１１４は、発振信号ＳＲ１に基づいてもう１つの発振信号ＳＲ２を発生する。ドライバ１１６は、信号ＳＲ２を駆動して右チャネルに対応するチャネル発振信号ＯＵＴＲを発生する。ドライバの詳細な説明は、当業者にはよく知られているので説明を省略する。自励発振器１１２とスミストリガー１１４の詳細な説明を以下にする。
【０００９】
図１と図２を一緒に参照する。図２は、図１の自励発振１１２のブロック図である。自励発振１１２は、パルス幅変調器（ＰＷＭ）２１０、レジスタＲ１と、コンデンサＣ１を含む。パルス幅変調器（ＰＷＭ）２１０の詳細な説明は、当業者にはよく知られているので説明を省略する。チャネル発振信号ＯＵＴＲは、レジスタＲ１を通してコンデンサＣ１を放充電し、発振信号ＳＲ１を発生する。発振信号ＳＲ２の遅延レベルと放充電の電流は、チャネル発振信号ＯＵＴＲの発振周波数を決定する。理想的には、チャネル発振回路１１０から発生されたチャネル発振信号ＯＵＴＲの発振周波数がチャネル発振回路１２０から発生されたチャネル発振信号ＯＵＴＬの発振周波数と同じであることだが、実際には、不正確な素子値により、チャネル発振信号ＯＵＴＲの発振周波数は、チャネル発振信号ＯＵＴＬの発振周波数と同じでない。よって、除去器１３０がチャネル発振信号ＯＵＴＬとＯＵＴＲ間のクロストークを除去するために用いられ、チャネル発振信号ＯＵＴＬとＯＵＴＲの同じ発振周波数を発生する。除去器１３０の詳細な説明を以下にする。
【００１０】
図３を参照する。図３は、図１の除去器１３０のブロック図である。ドライバ１１６からのチャネル発振信号ＯＵＴＲの電圧レベルが高い時、発振信号ＳＲ１の電圧レベルは、電圧転移点（ｖｏｌｔａｇｅ  ｔｒａｎｓｉｔｉｏｎ  ｐｏｉｎｔ）になるまで低下する。ドライバ１１６からのチャネル発振信号ＯＵＴＲの電圧レベルが低い時、発振信号ＳＲ１の電圧レベルは、上昇する。例えば、チャネル発振信号ＯＵＴＲの周波数がチャネル発振信号ＯＵＴＬの周波数より高い時、発振信号ＳＲ１は、除去器１３０によって充放電され、発振信号ＳＬ１の周波数を上げる。よって、チャネル発振信号ＯＵＴＬとＯＵＴＲの周波数は常に同じとなる。
【００１１】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００１２】
【図１】本考案の実施例に基づいた干渉を除去できる自励発振システムのブロック図である。
【図２】図１の自励発振のブロック図である。
【図３】図１の除去器のブロック図である。
【符号の説明】
【００１３】
１００  自励発振システム
１１０、１２０  チャネル発振回路
１１２、１２２  自励発振器
１１４、１２４  スミストリガー
１１６、１２６  ドライバ
１３０  除去器
２１０  パルス幅変調器
Ｒ１  レジスタ
Ｃ１、Ｃ  コンデンサ
【図１】
0003126204.tif 000003
【図２】
0003126204.tif 000004
【図３】
0003126204.tif 000005